(57)【要約】【課題】ＩＣカードや磁気カードに情報を書き込むカードの発行において、書き込み不良が起きたときに、不良原因を特定することを補助するカード検査装置を提供する。【解決手段】カード発行装置内のカードリーダライタ部のカード挿入直前のカード搬送路上のカードの片面を撮像するカメラと、撮像前に、カードのリーダライタに、正常位置、前後反転、表裏反転、表裏前後反転で挿入される時のカメラで捉えられた画像を記憶する検査画像記憶手段と、カメラで撮像されたカード画像に応じて、カードが、カードリーダライタ部に、正常に挿入されたかを検査するカード位置検査手段と、検査画像記憶手段の画像を、特徴部分で比較し、挿入されるカードが正常位置か、表裏反転か、前後反転か、表裏前後反転かを検査するカード面方向検査手段と、カード位置検査結果とカード面方向検査結果を、カード発行装置制御部に伝達する伝達手段と、を備えるカード検査装置。【選択図】図１
2020077154.tif 000002
【特許請求の範囲】
【請求項１】
カード発行装置内のＩＣカードリーダライタ部もしくは磁気カードリーダライタ部のカード挿入直前におけるカード検査装置であって、
前記ＩＣカードリーダライタ部もしくは前記磁気カードリーダライタ部のカード挿入直前のカード搬送路上のカードの片面を撮像するカメラと、
撮像前に、前記ＩＣカードリーダライタ部もしくは前記磁気カードリーダライタ部に、正常位置、前後反転、表裏反転、表裏前後反転で挿入される時の前記カメラで捉えられた画像を記憶する検査画像記憶手段と、
前記カメラで撮像されたカード画像に応じて、カードが、ＩＣカードリーダライタ部もしくは磁気カードリーダライタ部に、正常に挿入されたかを検査するカード位置検査手段と、
前記検査画像記憶手段の画像を、特徴部分で比較し、挿入されるカードが正常位置か、表裏反転か、前後反転か、表裏前後反転かを検査するカード面方向検査手段と、
前記カード位置検査結果と前記カード面方向検査結果を、前記カード発行装置の制御部に伝達する伝達手段と、
を備えることを特徴とするカード検査装置。
【請求項２】
請求項１記載のカード検査装置を有することを特徴とするカード発行装置。
【発明の詳細な説明】
【技術分野】
【０００１】
本発明は、磁気カードやＩＣカードなどのカードを発行するカード発行装置におけるカード検査装置に関する。
【背景技術】
【０００２】
ＩＣカードや磁気カードに情報を書き込むカード発行装置がある（特許文献１参照）。
【先行技術文献】
【特許文献】
【０００３】
【特許文献１】特許第３７４４７１９号公報
【発明の概要】
【発明が解決しようとする課題】
【０００４】
特許文献１などで示されるカード発行機においては、ＩＣカードや磁気カードを読み込んだり、情報を書き込む時に読み込み不良や書き込み不良が発生したときに、カード発行装置へのカードの供給時に、カードの前後や表裏の向きを間違えたものなのか、ＩＣカードリーダーライターへのフィードミスなのか、あるいはＩＣカードのＩＣチップの不良もしくは磁気カードの磁気ストライプ不良なのか判別することができなかった。
【０００５】
本発明では、ＩＣカードや磁気カードに情報を書き込むカードの発行において、書き込み不良が起きたときの不良原因を特定することを補助するために、発行装置内のＩＣカードリーダライタや磁気カードリーダライタへの挿入不良なのかカード発行装置のカード供給部にカードのセット向きを間違ったのかを、検査し、検査結果をカード発行装置に送るカード検査装置を提供することを目的とする。
【課題を解決するための手段】
【０００６】
本発明は上記課題を解決するためになされたもので、本発明の請求項１に係る発明は、カード発行装置内のＩＣカードリーダライタ部もしくは磁気カードリーダライタ部のカード挿入直前におけるカード検査装置であって、前記ＩＣカードリーダライタ部もしくは前記磁気カードリーダライタ部のカード挿入直前のカード搬送路上のカードの片面を撮像するカメラと、撮像前に、前記ＩＣカードリーダライタ部もしくは前記磁気カードリーダライタ部に、正常位置、前後反転、表裏反転、表裏前後反転で挿入される時の前記カメラで捉えられた画像を記憶する検査画像記憶手段と、前記カメラで撮像されたカード画像に応じて、カードが、ＩＣカードリーダライタ部もしくは磁気カードリーダライタ部に、正常に挿入されたかを検査するカード位置検査手段と、前記検査画像記憶手段の画像を、特徴部分で比較し、挿入されるカードが正常位置か、表裏反転か、前後反転か、表裏前後反転かを検査するカード面方向検査手段と、前記カード位置検査結果と前記カード面方向検査結果を、前記カード発行装置の制御部に伝達する伝達手段と、を備えることを特徴とするカード検査装置である。
【０００７】
本発明の請求項２の発明は、請求項１記載のカード検査装置を有することを特徴とするカード発行装置である。
【発明の効果】
【０００８】
カード発行機でのＩＣカードや磁気カードに情報を書き込むカードの発行において、書き込み不良が起きたときに、カード発行機において不良原因を特定することを補助するために、発行装置内のＩＣカードリーダライタや磁気カードリーダライタへの挿入不良なの
か、カード発行装置のカード供給部にカードのセット向きを間違ったのかを、検査し、検査結果をカード発行装置に送るカード検査装置を提供することが可能になった。
【図面の簡単な説明】
【０００９】
【図１】は本発明のカード検査装置の１例を模式的に示す概略図である。
【図２】は本発明の接触型ＩＣカードリーダライタ部前のカード検査装置の１例を模式的に示す概略図である。
【図３】は本発明の磁気カードリーダライタ部前のカード検査装置の１例を模式的に示す概略図である。
【図４】は本発明の非接触型ＩＣカードリーダライタ部前のカード検査装置の１例を模式的に示す概略図である。
【図５】は本発明の接触型ＩＣカードリーダライタ部前のカード検査装置の１例の動作を示すフローチャート図である。
【図６】は本発明の磁気カードリーダライタ部前のカード検査装置の１例の動作を示すフローチャート図である。
【図７】は本発明の非接触型ＩＣカードリーダライタ部前のカード検査装置の１例の動作を示すフローチャート図である。
【発明を実施するための形態】
【００１０】
本発明が搭載されるカード発行装置は、表１に示されるように接触型ＩＣカード、磁気カード、非接触型ＩＣカードのいずれかがカードに共存するものに対応できるように、接触型ＩＣカードリーダライタ、磁気カードリーダライタ、非接触型ＩＣカードリーダライタのいずれかを内在させるものである。ここでは、接触型ＩＣカードリーダライタ、磁気カードリーダライタ、非接触型ＩＣカードリーダライタすべてがあるカード発行装置のカード検査装置について添付図面を参照して説明する。図１は本発明のカード検査装置の１例を模式的に示す概略図である。図１を部分的に拡大してみたのが、図２、図３、図４であり、図２は本発明の接触型ＩＣカードリーダライタ部前のカード検査装置の１例を模式的に示す概略図である。図３は本発明の磁気カードリーダライタ部前のカード検査装置の１例を模式的に示す概略図である。図４は本発明の非接触型ＩＣカードリーダライタ部前のカード検査装置の１例を模式的に示す概略図である。
【００１１】
【表１】
2020077154.tif 000003
【００１２】
図１で示されるように、カード発行装置１００は、供給されたカード１が不図示の搬送系によってカード搬送路４０を通じて、接触型ＩＣカードリーダライタ部３と磁気カードリーダライタ部２３と非接触型ＩＣカードリーダライタ部３３に供給され、カード１にある機能に応じて、該当する機能のリーダライタ部で、読み込み書き込み動作が行われる。
【００１３】
接触型ＩＣカードリーダライタ部３と磁気カードリーダライタ部２３と非接触型ＩＣカードリーダライタ部３３のカード挿入部前にそれぞれカメラが設置されカード検査を行う。
【００１４】
＜接触型ＩＣカードリーダライタ部３直前のカード検査装置＞
図２で示されるように、接触型ＩＣカードリーダライタ部３のカード挿入直前のカード搬送路４０上のカード１の片面を撮像するカメラ５と、事前に、カード１の接触型ＩＣカードリーダライタ部３に、正常位置、前後反転、表裏反転、表裏前後反転で挿入される時のカメラ５で捉えられた画像の検査画像記憶手段と、カメラ５で撮像されたカード画像に応じて、カード１が接触型ＩＣカードリーダライタ部３に正常に挿入されたかを検査するカード位置検査手段と、検査画像記憶手段の画像を、特徴部分で比較し、挿入されるカードが正常位置か、表裏反転か、前後反転か、表裏前後反転かを検査するカード面方向検査手段と、カード位置検査結果とカード面方向検査結果を、カード発行機の制御部５０に伝達する伝達手段とを備える。
【００１５】
事前に、カード１の接触型ＩＣカードリーダライタ部３に、正常位置、前後反転、表裏反転、表裏前後反転で挿入される時のカメラ５で捉えられた画像は、検査画像記憶部７に格納される。
【００１６】
検査画像記憶手段とカード位置検査手段とカード面方向検査とカード発行機の制御部５０に伝達する伝達手段は検査制御部６で行われる。
【００１７】
＜接触型ＩＣカードリーダライタ部３直前のカード検査装置の動作＞
表１で示されるカード種類において接触型ＩＣカードを有するカード１の場合は、接触型ＩＣカードリーダライタ部３に、カード１が挿入され、接触型ＩＣカードリーダライタ部３での検査動作が行われる。
【００１８】
図５は本発明の接触型ＩＣカードリーダライタ部３のカード挿入部２直前のカード１を検査するカード検査装置の１例の動作を示すフローチャート図である。
【００１９】
検査制御部６で、以下の（Ｓ１）から（Ｓ１３）で示される動作で、カード検査（カード位置検査とカード面方向検査）、情報読み込み書き込み動作、検査結果をカード発行機の制御部５０に伝達する伝達手段を行う。
（Ｓ１）接触型ＩＣカードリーダライタ部３にカード１装填。
（Ｓ２）カメラ５作動。カード１の片面の画像を採取する。
（Ｓ３）カード１の位置は正しいかチェックする（カード位置検査）。カード１の位置は正しいと判断した判断した場合は（Ｓ４）へ。接触型ＩＣカードリーダライタ部３にカード１が正常に挿入されていないと判断した場合は（Ｓ６）へ。
（Ｓ４）カード１の前後・表裏は正しいかチェックする（カード面方向検査）。事前に、検査画像記憶手段によって採取され検査画像記憶部に格納されている、正常位置、前後反転、表裏反転、表裏前後反転の画像（カード１の接触型ＩＣカードリーダライタ部３直前での画像）と、カメラ５で捉えられた画像を、特徴部分で比較し、挿入されるカード１が正常位置か、表裏反転か、前後反転か、表裏前後反転かを検査する。カード１が正常位置である場合は（Ｓ５）へ。そうでなければ（Ｓ７）へ。
（Ｓ５）接触型ＩＣカードリーダライタ部３で読み込みまたは書き込み処理実行。検査制御部６動作終了。
（Ｓ６）接触型ＩＣカードリーダライタ部３カード挿入時位置エラー情報をカード発行装置制御部５０に送信。検査制御部６動作終了。
（Ｓ７）カード１は前後反転で表裏正常であるか。そうであるならば（Ｓ８）へ。そうでないならば（Ｓ９）へ。
（Ｓ９）カード１は前後正常で表裏反転であるか。そうであるならば（Ｓ１０）へ。そうでないならば（Ｓ１１）へ。
（Ｓ１１）カード１は前後反転で表裏反転であるか。そうであるならば（Ｓ１２）へ。そうでないならば（Ｓ１３）へ。
（Ｓ８）前後反転で表裏正常の情報をカード発行装置制御部５０に送信。検査制御部６動作終了。
（Ｓ１０）前後正常で表裏反転の情報をカード発行装置制御部５０に送信。検査制御部６動作終了。
（Ｓ１２）前後反転で表裏反転の情報をカード発行装置制御部５０に送信。検査制御部６動作終了。
（Ｓ１３）判別不可エラーの情報をカード発行装置制御部５０に送信。検査制御部６動作終了。
【００２０】
＜磁気カードリーダライタ部２３直前のカード検査装置＞
図３で示されるように、磁気カードリーダライタ部２３のカード挿入直前のカード搬送路４０上のカードの片面を撮像するカメラ２５と、事前に、カード１の磁気カードリーダライタ部２３に、正常位置、前後反転、表裏反転、表裏前後反転で挿入される時のカメラ２５で捉えられた画像の検査画像記憶手段と、カメラ２５で撮像されたカード画像に応じて、カード１が接触型ＩＣカードリーダライタ部２３に正常に挿入されたかを検査するカード位置検査手段と、検査画像記憶手段の画像を、特徴部分で比較し、挿入されるカードが正常位置か、表裏反転か、前後反転か、表裏前後反転かを検査するカード面方向検査手段と、カード位置検査結果とカード面方向検査結果を、カード発行機の制御部５０に伝達する伝達手段とを備える。
【００２１】
事前に、カード１の磁気カードリーダライタ部２３に、正常位置、前後反転、表裏反転、表裏前後反転で挿入される時のカメラ２５で捉えられた画像は、検査画像記憶部２７に格納される。
【００２２】
検査画像記憶手段とカード位置検査手段とカード面方向検査とカード位置検査結果とカード面方向検査結果を、カード発行機の制御部５０に伝達する伝達手段は検査制御部２６で行われる。
【００２３】
＜磁気カードリーダライタ部２３直前のカード検査装置の動作＞
表１で示されるカード種類において磁気カードを有するカード１の場合は、磁気カードリーダライタ部２３に、カード１が挿入され、磁気カードリーダライタ部２３での検査動作が行われる。
【００２４】
図６は本発明の磁気カードリーダライタ部２３のカード挿入部２２直前のカード１を検査するカード検査装置の１例の動作を示すフローチャート図である。
【００２５】
検査制御部２６で、以下の（Ｓ２１）から（Ｓ３３）で示される動作で、カード検査（カード位置検査とカード面方向検査）、情報読み込み書き込み動作、検査結果をカード発行機の制御部５０に伝達する伝達手段を行う。
（Ｓ２１）磁気カードリーダライタ部２３にカード１装填。
（Ｓ２２）カメラ２５作動。カード１の片面の画像を採取する。
（Ｓ２３）カード１の位置は正しいかチェックする（カード位置検査）。カード１の位置は正しいと判断した判断した場合は（Ｓ２４）へ。磁気カードリーダライタ部２３にカード１が正常に挿入されていないと判断した場合は（Ｓ２６）へ。
（Ｓ２４）カード１の前後・表裏は正しいかチェックする（カード面方向検査）。事前に、検査画像記憶手段によって採取され検査画像記憶部２７に格納されている、正常位置、前後反転、表裏反転、表裏前後反転の画像（カード１の磁気カードリーダライタ部２３直前での画像）と、カメラ５で捉えられた画像を、特徴部分で比較し、挿入されるカード１が正常位置か、表裏反転か、前後反転か、表裏前後反転かを検査する。カード１が正常位置である場合は（Ｓ２５）へ。そうでなければ（Ｓ２７）へ。
（Ｓ２５）磁気カードリーダライタ部２３で読み込みまたは書き込み処理実行。検査制御部２６動作終了。
（Ｓ２６）磁気カードリーダライタ部２３カード挿入時位置エラー情報をカード発行装置制御部５０に送信。検査制御部２６動作終了。
（Ｓ２７）カード１は前後反転で表裏正常であるか。そうであるならば（Ｓ２８）へ。そうでないならば（Ｓ２９）へ。
（Ｓ２９）カード１は前後正常で表裏反転であるか。そうであるならば（Ｓ３０）へ。そうでないならば（Ｓ３１）へ。
（Ｓ３１）カード１は前後反転で表裏反転であるか。そうであるならば（Ｓ３２）へ。そ
うでないならば（Ｓ３３）へ。
（Ｓ２８）前後反転で表裏正常の情報をカード発行装置制御部５０に送信。検査制御部２６動作終了。
（Ｓ３０）前後正常で表裏反転の情報をカード発行装置制御部５０に送信。検査制御部２６動作終了。
（Ｓ３２）前後反転で表裏反転の情報をカード発行装置制御部５０に送信。検査制御部２６動作終了。
（Ｓ３３）判別不可エラーの情報をカード発行装置制御部５０に送信。検査制御部２６動作終了。
【００２６】
＜非接触型ＩＣカードリーダライタ部３３直前のカード検査装置＞
図４で示されるように、非接触型ＩＣカードリーダライタ部３３のカード挿入直前のカード搬送路４０上のカード１の片面を撮像するカメラ３５と、事前に、カード１の非接触型ＩＣカードリーダライタ部３３に、正常位置、前後反転、表裏反転、表裏前後反転で挿入される時のカメラ３５で捉えられた画像の検査画像記憶手段と、カメラ３５で撮像されたカード画像に応じて、カード１が非接触型ＩＣカードリーダライタ部３３に正常に挿入されたかを検査するカード位置検査手段と、検査画像記憶手段の画像を、特徴部分で比較し、挿入されるカードが正常位置か、表裏反転か、前後反転か、表裏前後反転かを検査するカード面方向検査手段と、カード位置検査結果とカード面方向検査結果を、カード発行機の制御部５０に伝達する伝達手段とを備える。
【００２７】
事前に、カード１の接触型ＩＣカードリーダライタ部３３に、正常位置、前後反転、表裏反転、表裏前後反転で挿入される時のカメラ３５で捉えられた画像は、検査画像記憶部３７に格納される。
【００２８】
検査画像記憶手段とカード位置検査手段とカード面方向検査とカード発行機の制御部５０に伝達する伝達手段は検査制御部３６で行われる。
【００２９】
＜非接触型ＩＣカードリーダライタ部３３直前のカード検査装置の動作＞
表１で示されるカード種類において非接触型ＩＣカードを有するカード１の場合は、非接触型ＩＣカードリーダライタ部３３に、カード１が挿入され、非接触型ＩＣカードリーダライタ部３３での検査動作が行われる。
【００３０】
図７は本発明の非接触型ＩＣカードリーダライタ部３３のカード挿入部３２のカード挿入部３２直前のカード１を検査するカード検査装置の１例の動作を示すフローチャート図である。
【００３１】
検査制御部３６で、以下の（Ｓ４１）から（Ｓ５３）で示される動作で、カード検査（カード位置検査とカード面方向検査）、情報読み込み書き込み動作、検査結果をカード発行機の制御部５０に伝達する伝達手段を行う。
（Ｓ４１）非接触型ＩＣカードリーダライタ部３３にカード１装填。
（Ｓ４２）カメラ３５作動。カード１の片面の画像を採取する。
（Ｓ４３）カード１の位置は正しいかチェックする（カード位置検査）。カード１の位置は正しいと判断した判断した場合は（Ｓ４４）へ。非接触型ＩＣカードリーダライタ部３３にカード１が正常に挿入されていないと判断した場合は（Ｓ４６）へ。
（Ｓ４４）カード１の前後・表裏は正しいかチェックする（カード面方向検査）。事前に、検査画像記憶手段によって採取され検査画像記憶部に格納されている、正常位置、前後反転、表裏反転、表裏前後反転の画像（カード１の非接触型ＩＣカードリーダライタ部３３直前での画像）と、カメラ５で捉えられた画像を、特徴部分で比較し、挿入されるカード１が正常位置か、表裏反転か、前後反転か、表裏前後反転かを検査する。カード１が正常位置である場合は（Ｓ４５）へ。そうでなければ（Ｓ４７）へ。
（Ｓ４５）非接触型ＩＣカードリーダライタ部３３で読み込みまたは書き込み処理実行。検査制御部３６動作終了。
（Ｓ４６）非接触型ＩＣカードリーダライタ部３カード挿入時位置エラー情報をカード発行装置制御部５０に送信。検査制御部６動作終了。
（Ｓ４７）カード１は前後反転で表裏正常であるか。そうであるならば（Ｓ４８）へ。そうでないならば（Ｓ４９）へ。
（Ｓ４９）カード１は前後正常で表裏反転であるか。そうであるならば（Ｓ５０）へ。そうでないならば（Ｓ５１）へ。
（Ｓ５１）カード１は前後反転で表裏反転であるか。そうであるならば（Ｓ５２）へ。そうでないならば（Ｓ５３）へ。
（Ｓ４８）前後反転で表裏正常の情報をカード発行装置制御部５０に送信。そして（Ｓ４５）へ。
（Ｓ５０）前後正常で表裏反転の情報をカード発行装置制御部５０に送信。そして（Ｓ４５）へ。
（Ｓ５２）前後反転で表裏反転の情報をカード発行装置制御部５０に送信。そして（Ｓ４５）へ。
（Ｓ５３）判別不可エラーの情報をカード発行装置制御部５０に送信。そして（Ｓ４５）へ。
【００３２】
なお、上記フローにおいて（Ｓ４３）においてカード１の位置は正しいかチェックする（カード位置検査）。カード１の位置は正しいと判断した判断した場合は（Ｓ４５）へ。非接触型ＩＣカードリーダライタ部３３にカード１が正常に挿入されていないと判断した場合は（Ｓ４６）へ。というパスもとりうる。
【００３３】
以上のように、カード発行機でのＩＣカードや磁気カードに情報を書き込むカードの発行において、書き込み不良が起きたときに、カード発行機において不良原因を特定することを補助するために、発行装置内のＩＣカードリーダライタや磁気カードリーダライタへの挿入不良なのか、カード発行装置のカード供給部にカードのセット向きを間違ったのかを、検査し、検査結果をカード発行装置に送るカード検査装置を提供することが可能になり、カード発行装置に集められる情報をもとにカード発行機の不具合解明と対策を確実にすることができる。
【符号の説明】
【００３４】
１・・・カード
２・・・カード挿入部
３・・・接触型ＩＣカードリーダライタ部
４・・・カード搬送機構
５・・・カメラ
６・・・検査制御部
７・・・検査画像記憶部
２２・・・カード挿入部
２３・・・磁気カードリーダライタ部
２５・・・カメラ
２６・・・検査制御部
２７・・・検査画像記憶部
３２・・・カード挿入部
３３・・・非接触型ＩＣカードリーダライタ部
３５・・・カメラ
３６・・・検査制御部
３７・・・検査画像記憶部
４０・・・カード搬送路
５０・・・カード発行機制御部
１００・・・カード発行装置
【図１】
2020077154.tif 000004
【図２】
2020077154.tif 000005
【図３】
2020077154.tif 000006
【図４】
2020077154.tif 000007
【図５】
2020077154.tif 000008
【図６】
2020077154.tif 000009
【図７】
2020077154.tif 000010